(57)【要約】【課題】設備機器・システムにかかる診断を短時間で行うこと。【解決手段】建物内の設備機器・システムに設けられたセンサ２０1〜２０nから該設備機器・システムにかかる診断に用いられる一次データ（生データ）をデータ収集記録装置１０を経由して収集する生データ収集ステップと、一次データを加工し、診断に直接用いられる二次データ、三次データ（診断用データ）を建物の現場で作成する診断用データ作成ステップと、表示部３３を介して、診断用データを現場でユーザＵ（診断者）に提示する診断用データ提示ステップとを含む。【選択図】        図１
2006011980.tif 000002
【特許請求の範囲】
【請求項１】
建物内の設備機器・システムに設けられた検出手段から該設備機器・システムにかかる診断に用いられる生データを収集する生データ収集手段と、
前記生データを加工し、前記診断に直接用いられる診断用データを建物の現場で作成する診断用データ作成手段と、
前記診断用データを前記現場で診断者に提示する診断用データ提示手段と、
を備えたことを特徴とする設備機器・システム診断支援装置。
【請求項２】
前記機器のカタログデータを収集するカタログデータ収集手段と、前記生データ、前記診断用データと前記カタログデータとを比較した結果を前記診断者に提示する比較結果提示手段と、を備えたことを特徴とする請求項１に記載の設備機器・システム診断支援装置。
【請求項３】
建物内の設備機器・システムに設けられた検出手段から該設備機器・システムにかかる診断に用いられる生データを収集する生データ収集工程と、
前記生データを加工し、前記診断に直接用いられる診断用データを建物の現場で作成する診断用データ作成工程と、
前記診断用データを前記現場で診断者に提示する診断用データ提示工程と、
を含むことを特徴とする設備機器・システム診断支援方法。
【請求項４】
コンピュータに、
建物内の設備機器・システムに設けられた検出手段から該設備機器・システムにかかる診断に用いられる生データを収集する生データ収集工程と、
前記生データを加工し、前記診断に直接用いられる診断用データを建物の現場で作成する診断用データ作成工程と、
前記診断用データを前記現場で診断者に提示する診断用データ提示工程と、
を実行させるための設備機器・システム診断支援プログラム。
【請求項５】
前記コンピュータに、前記機器のカタログデータを収集するカタログデータ収集工程と、前記生データ、前記診断用データと前記カタログデータとを比較した結果を前記診断者に提示する比較結果提示工程と、を実行させることを特徴とする請求項４に記載の設備機器・システム診断支援プログラム。
【発明の詳細な説明】
【技術分野】
【０００１】
本発明は、設備機器・システム診断支援装置、設備機器・システム診断支援方法および設備機器・システム診断支援プログラムに関するものであり、特に、設備機器・システムにかかる診断を短時間で行うことができる設備機器・システム診断支援装置、設備機器・システム診断支援方法および設備機器・システム診断支援プログラムに関するものである。
【背景技術】
【０００２】
従来より、建物の運用管理には、ビル管理システム（ＢＥＭＳ：Building Energy Management System）が導入されている。このビル管理システムでは、連続的に設備機器・システムにかかる診断に必要なデータ（例えば、熱源系に関する温度、消費電力等）が複数のセンサにより計測され、建物の熱源系をリニューアルする場合の是非の判断や効率的な運用状態に関する診断が行われている。
【０００３】
しかしながら、当該建物の新築時に導入されるビル管理システムでは、初期コストを抑えるために、必要最低限の数のセンサしか設置されていない場合が多く見受けられる。例えば、建物内の機器や空間の温度を検出するための温度センサは、比較的安価であるため、優先的に設置される。これに対して、熱源系の効率を診断する場合に用いられる熱量値を得るための流量計センサは、高価であるため、設置されない場合が多い。
【０００４】
従って、流量計センサが設置されていない建物では、新築から十数年を経て、熱源系のリニューアルの是非の判断や、熱源系の効率の診断を行う場合に、ビル管理システムで収集されるデータでは不十分であるため、外付けのセンサ（例えば、流量計センサ）や、センサからデータを収集するデータ収集記録装置（データロガー）が臨時で設置される。データロガーは、ソフトウェアの処理により、センサからデータを一次データとして収集し、この一次データをグラフとして表示する機能を備えている。
【０００５】
【特許文献１】特開２００３−５８６１４号公報
【発明の開示】
【発明が解決しようとする課題】
【０００６】
ところで、従来の建物管理においては、臨時で設置されるデータ収集記録装置で収集される一次データやグラフのみからでは、情報不足のため、現場で設備機器・システムの診断をリアルタイムに行うことができないという問題があった。
【０００７】
このことから、従来では、現場（建物）で収集した一次データをオフィスに持ち帰り、一次データに基づいて、積算値や瞬時値等の二次データや、ＣＯＰ（成績係数）瞬時値等の三次データに加工し、整理した状態で、設備機器・システムにかかる診断が行われるため、データを収集してから診断結果が出るまでに長時間を要していた。
【０００８】
本発明は、上記に鑑みてなされたものであって、設備機器・システムにかかる診断を短時間で行うことができる設備機器・システム診断支援装置、設備機器・システム診断支援方法および設備機器・システム診断支援プログラムを提供することを目的とする。
【課題を解決するための手段】
【０００９】
上述した課題を解決し、目的を達成するために、本発明は、建物内の設備機器・システムに設けられた検出手段から該設備機器・システムにかかる診断に用いられる生データを収集する生データ収集手段と、前記生データを加工し、前記診断に直接用いられる診断用データを建物の現場で作成する診断用データ作成手段と、前記診断用データを前記現場で診断者に提示する診断用データ提示手段と、を備えたことを特徴とする。
【００１０】
また、本発明は、建物内の設備機器・システムに設けられた検出手段から該設備機器・システムにかかる診断に用いられる生データを収集する生データ収集工程と、前記生データを加工し、前記診断に直接用いられる診断用データを建物の現場で作成する診断用データ作成工程と、前記診断用データを前記現場で診断者に提示する診断用データ提示工程と、を含むことを特徴とする。
【００１１】
また、本発明は、コンピュータに、建物内の設備機器・システムに設けられた検出手段から該設備機器・システムにかかる診断に用いられる生データを収集する生データ収集工程と、前記生データを加工し、前記診断に直接用いられる診断用データを建物の現場で作成する診断用データ作成工程と、前記診断用データを前記現場で診断者に提示する診断用データ提示工程と、を実行させるための設備機器・システム診断支援プログラムである。
【発明の効果】
【００１２】
本発明によれば、建物内の設備機器・システムに設けられた検出手段から収集された生データを加工し、診断に直接用いられる診断用データを建物の現場で作成した後、現場で診断者に提示することとしたので、設備機器・システムにかかる診断を短時間で行うことができるという効果を奏する。
【発明を実施するための最良の形態】
【００１３】
以下に、本発明にかかる設備機器・システム診断支援装置、設備機器・システム診断支援方法および設備機器・システム診断支援プログラムの実施例を図面に基づいて詳細に説明する。なお、この実施例によりこの発明が限定されるものではない。
【実施例】
【００１４】
図１は、本発明にかかる一実施例の構成を示すブロック図である。同図には、設備機器・システムにかかる診断を現場で短時間で行うための設備機器・システム診断支援システムが図示されている。この設備機器・システム診断支援システムにおいて、データ収集記録装置１０は、センサ２０1〜２０nから設備機器・システムにかかる診断を行うための一次データ（生データ）を収集記録するための装置であり、診断時に当該建物に臨時で設置される。センサ２０1〜２０nは、建物に設置された設備機器・システムに設けられており、設備機器・システムとしての熱源系の温度や、消費電力、熱量等に対応する一次データをそれぞれ計測する。
【００１５】
設備機器・システム診断支援装置３０は、診断時に建物に臨時で、データ収集記録装置１０とともに設置される装置であり、図２に示したデータ加工処理、カタログデータ収集処理、初期性能比較処理等を実行し、ユーザＵ（診断者）による設備機器・システムにかかる診断を支援するための装置である。これらの各処理については、後述する。
【００１６】
図１に戻り、設備機器・システム診断支援装置３０において、入出力部３１は、データ収集記録装置１０に接続されており、データ収集記録装置１０で収集された一次データを入力する機能を備えている。制御部３２は、上述した各機能を実現するために各部を制御する。なお、制御部３２の動作の詳細については、後述する。
【００１７】
表示部３３は、設備機器・システムにかかる診断に必要なデータや情報を表示する。操作部３４は、キーボード、マウス等であり、ユーザＵにより操作される。記憶部３５は、データ収集記録装置１０で収集された一次データ等を記憶する。通信部３６は、インターネット４０に接続されており、所定の通信プロトコルに従って、通信を制御する。
【００１８】
カタログデータ配信サーバ５０は、インターネット４０を介して、診断対象の機器（例えば、熱源系）に対応するカタログデータ（カタログにおける当該機器の初期性能を表す各種データ）を配信するサーバである。
【００１９】
上記構成において、データ収集記録装置１０は、センサ２０1〜２０nから、当該建物内の設備機器・システム（例えば、熱源系）から温度、消費電力、流量等に関する一次データを収集した後、設備機器・システム診断支援装置３０へ出力する。これにより、設備機器・システム診断支援装置３０の制御部３２は、入出力部３１を介して一次データを取得した後、記憶部３５に記憶させる。
【００２０】
つぎに、設備機器・システム診断支援装置３０の制御部３２は、図２に示したデータ加工処理を実行する。具体的には、制御部３２は、記憶部３５に記憶されている一次データ（温度、消費電力、流量等）をグラフ化したり、一次データを二次データ（熱量瞬時値、熱量積算値）に加工する。また、制御部３２は、二次データを三次データ（ＣＯＰ瞬時値、ＣＯＰ平均値、搬送効率等）に加工する。
【００２１】
つぎに、制御部３２は、カタログデータ収集処理を実行する。具体的には、制御部３２は、図３に示したように、カタログデータ配信サーバ５０（図１参照）からグラフ形式や表形式のカタログデータをインターネット４０を介して収集する。つぎに、制御部３２は、グラフ形式のカタログデータから近似式を作成し、表形式にデータ化する。また、制御部３２は、表形式のカタログデータの数値を補間する。
【００２２】
つぎに、制御部３２は、図３に示した初期性能比較処理を実行する。具体的には、制御部３２は、カタログデータ収集処理で収集されたカタログデータと、データ加工処理における現状データ（一次データ、二次データ、三次データ）とを比較し、当該機器における初期性能と現在の性能とを比較する。
【００２３】
つぎに、制御部３２は、一次データ、二次データ、三次データや、初期性能と現在性能との比較結果、カタログデータ等を診断支援データとして表示部３３に表示させる。これにより、ユーザＵは、表示部３３に表示された診断支援データに基づいて、設備機器・システムにかかる診断を現場で行う。
【００２４】
以上説明したように、一実施例によれば、建物内の設備機器・システムに設けられたセンサ２０1〜２０nから収集された一次データ（生データ）を加工し、診断に直接用いられる診断用データとしての二次データや三次データを建物の現場で作成した後、表示部３３を介して現場でユーザＵ（診断者）に提示することとしたので、設備機器・システムにかかる診断を短時間で行うことができる。
【００２５】
また、一実施例によれば、初期性能比較処理で、カタログデータと現状データとの比較結果を表示部３３に表示させ、ユーザＵに提示することとしたので、カタログデータに対する現状データの乖離状態を明確化することができる。
【００２６】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【００２７】
例えば、前述した一実施例においては、図１に示した設備機器・システム診断支援装置３０の各機能を実現するためのプログラムを図４に示したコンピュータ読み取り可能な記録媒体２００に記録して、この記録媒体２００に記録されたプログラムを同図に示したコンピュータ１００に読み込ませ、実行することにより各機能を実現してもよい。
【００２８】
同図に示したコンピュータ１００は、上記プログラムを実行するＣＰＵ（Central Processing Unit）１１０と、キーボード、マウス等の入力装置１２０と、各種データを記憶するＲＯＭ（Read Only Memory）１３０と、演算パラメータ等を記憶するＲＡＭ（Random Access Memory）１４０と、記録媒体２００からプログラムを読み取る読取装置１５０と、ディスプレイ、プリンタ等の出力装置１６０とから構成されている。
【００２９】
ＣＰＵ１１０は、読取装置１５０を経由して記録媒体２００に記録されているプログラムを読み込んだ後、プログラムを実行することにより、前述した機能を実現する。なお、記録媒体２００としては、光ディスク、フレキシブルディスク、ハードディスク等が挙げられる。
【産業上の利用可能性】
【００３０】
以上のように、本発明にかかる設備機器・システム診断支援装置、設備機器・システム診断支援方法および設備機器・システム診断支援プログラムは、設備機器・システムの評価等の診断に対して有用である。
【図面の簡単な説明】
【００３１】
【図１】本発明にかかる一実施例の構成を示すブロック図である。
【図２】図１に示した設備機器・システム診断支援装置３０の各機能を説明するブロック図である。
【図３】図２に示したカタログデータ収集処理を説明するブロック図である。
【図４】同一実施例の変形例の構成を示すブロック図である。
【符号の説明】
【００３２】
１０  データ収集記録装置
２０1  センサ
３０  設備機器・システム診断支援装置
３１  入出力部
３２  制御部
３３  表示部
３４  操作部
３５  記憶部
４０  インターネット
５０  カタログデータ配信サーバ
【図１】
2006011980.tif 000003
【図２】
2006011980.tif 000004
【図３】
2006011980.tif 000005
【図４】
2006011980.tif 000006